(57)【特許請求の範囲】
【請求項１】
屋外に設置される室外機（１）の凝縮器（３）の風上側に近接して保水材（３０）を配設し、
前記保水材（３０）は、上方の給水装置（７０）より滴下される水により湿潤されて、気化する際の潜熱にて吸気された空気の温度を低下させるものであり、
この温度が低下した空気により前記凝縮器（３）を冷却させ、
前記保水材（３０）から流下した水を水回収装置（１３）にて回収し、
前記水回収装置（１３）の水をポンプ（１４）を駆動して給水管（１５）を介して前記保水材（３０）へ循環させるようにした凝縮器の補助冷却システムであって、
前記給水装置（７０）は、
前記給水管（１５）からの水（６７）が供給される給水パイプ（７１）と、前記給水パイプ（７１）から落下した水（６７）を受け、該水（６７）を点状から線状、さらには線状から面的に分水させて前記保水材（３０）の上面に落下させる分水部（７３）とで構成されており、
前記分水部（７３）は、
上面を平面とし断面が四角形状の第１のガイド片（８１ａ）を所定の間隔毎に多数列設した第１の分水体（８１）と、
上面を平面とし断面が四角形状の第２のガイド片（８２ａ）を所定の間隔毎に多数列設した第２の分水体（８２）とで少なくとも構成されており、
前記第１の分水体（８１）の下層に前記第２の分水体（８２）が配設され、
前記第１の分水体（８１）の第１のガイド片（８１ａ）と、前記第２の分水体（８２）の第２のガイド片（８２ａ）とは交差させており、
前記第１の分水体（８１）の第１のガイド片（８１ａ）の上面には、該第１のガイド片（８１ａ）の上面を伝って一方側に水（６７）が流出するのを防止する第１の止水部（８７）を設けていることを特徴とする凝縮器の補助冷却システムにおける給水装置。
【請求項２】
前記給水パイプ（７１）の上面に水（６７）を流出させる穴（７８）を所定の間隔毎に直線状に複数穿孔していることを特徴とする請求項１に記載の凝縮器の補助冷却システムにおける給水装置。
【請求項３】
前記給水パイプ（７１）の上方には、前記穴（７８）から勢いよく噴出した水（６７）を下方へ反射させる反射板７２を配設していることを特徴とする請求項２に記載の凝縮器の補助冷却システムにおける給水装置。
【請求項４】
前記第１の分水体（８１）の第１のガイド片（８１ａ）と、前記第２の分水体（８２）の第２のガイド片（８２ａ）とは直交あるいは斜めに交差させていることを特徴とする請求項１に記載の凝縮器の補助冷却システムにおける給水装置。
【請求項５】
前記分水部（７３）の最下層のガイド片の下面には、該ガイド片の下面を伝って一方側に水（６７）が流出するのを防止する第２の止水部（８８）を設けていることを特徴とする請求項１または請求項４のいずれかに記載の凝縮器の補助冷却システムにおける給水装置。
【発明の詳細な説明】
【技術分野】
【０００１】
本発明は、空調、冷凍、冷蔵装置等に用いられて、夏場等の外気温が高い時に空気調和機の凝縮器の吸い込み空気の温度を冷却するための凝縮器の空気冷却システムに関するものであり、より詳しくは凝縮器の補助冷却システムにおける給水装置に関するものである。
【背景技術】
【０００２】
夏場等の外気温が高い時に空気調和機の凝縮器の吸い込み空気の温度を冷却するためのこの種の凝縮器の空気冷却システムとして、例えば、本出願人が既に出願した下記に示す特許文献１が挙げられる。
【先行技術文献】
【特許文献】
【０００３】
【特許文献１】特許第５４５９７４５号公報（公開日平成２６年(2014 年）４月２日）
【０００４】
上記特許文献１は図３０〜図３７に示すような構成となっている。図３０は室外機１の吸い込み空気の上流側に補助冷却装置１０を設置した場合の凝縮器の空気冷却装置の概略構成を示しており、また、図３１は図３０のＡ方向から見た概略正面図を示している。
室外機１は、周知の構成であるため、詳細な説明は省略するが、室外機１のケース２の一方には凝縮器３が配置され、ケース２の上部には冷却ファン４が設けられている。なお、図示例では冷却ファン４をケース２の上部に設けているが、凝縮器３に対向した位置に冷却ファン４が設けられている場合もある。
【０００５】
補助冷却装置１０は、気化式空気冷却装置１１と、この気化式空気冷却装置１１から排水管１２を介して排水される水を回収する水回収装置１３と、この水回収装置１３に貯溜している水をポンプ１４を介して前記気化式空気冷却装置１１側に送る給水管１５と、この給水管１５からの水を気化式空気冷却装置１１の上面に給水する給水装置１６等で構成されている。
【０００６】
なお、図３０では給水管１５を室外機１より右方に描いているが、実際の施工は室外機１の左方で、気化式空気冷却装置１１の側面に配管されるようになっている。しかし、補助冷却装置１０の気化式空気冷却装置１１は、凝縮器３の吸い込み空気の上流側に該室外機１に近接して配置されるが、他の水回収装置１３や給水管１５は任意の箇所に配置、施工される。
【０００７】
気化式空気冷却装置１１は、図３１に示すように、凝縮器３の大きさとほぼ同じか、若干大きめの大きさとしており、気化式空気冷却装置１１にて凝縮器３の空気の吸い込み面を覆う大きさである。
【０００８】
図３２は、周知な冷凍サイクルを示し、冷凍サイクルは、凝縮器３、圧縮器５、室内に設置される室内機内の蒸発器６、膨張弁７等で構成されており、それぞれ冷媒管８にて接続されている。
冷房運転時では、圧縮器５で冷媒管８内の冷媒が圧縮されて、冷媒は高温ガスになり、凝縮器３内を冷却ファン４にて気化する際の水の潜熱にて一定の温度に下げられ冷媒ガスは液化する。膨張弁７にて冷媒の圧力は急激に下げられ、冷媒ガスの潜熱で冷たくなり、蒸発器６で部屋の温度を熱交換を行ない、室内機から冷風が部屋内に送られて冷房が行なわれる。
【０００９】
ここでは、水回収装置１３内の水をポンプ１４、給水管１５を介して気化式空気冷却装置１１へ循環させ、気化式空気冷却装置１１内では水が気化する際の潜熱を利用して気化式空気冷却装置１１内で吸気された空気の温度を低下させ、この低下させた空気にて凝縮器３を冷却させるものである。
気化式空気冷却装置１１内を流下した水は排水管１２を介して水回収装置１３に回収される。
【００１０】
図３０に示すように、水回収装置１３へは、水道水等の補給水が補給水管２０から供給されるようになっており、補給水管２０にはフロート弁２１が介装されている。このフロート弁２１は、液面に浮かぶフロート２２が液面の高さに応じて上下方向に移動することにより開閉する弁である。
水回収装置１３の液面が所定の高さ以下になると、フロート２２が下降してフロート弁２１が開いて補給水管２０から水が供給される。また、補給水が供給されていって液面が所定の高さ以上になると、フロート２２が上昇してフロート弁２１が閉じられ、補給水管２０からの水の供給が停止される。
【００１１】
気化式空気冷却装置１１へ水回収装置１３からの水を循環させて給水する給水装置１６は、気化式空気冷却装置１１の幅方向と略同じ長さとし、例えばパイプに複数の穴を穿孔しておき、これらの穴から水を気化式空気冷却装置１１の上面に滴下ないし散水するものである。
【００１２】
なお、図３１に示すように気化式空気冷却装置１１の下部には排水樋２５が設けられており、この排水樋２５の端部に排水管１２が接続されて、気化式空気冷却装置１１から流下した水は水回収装置１３へ回収されるようになっている。
【００１３】
次に、気化式空気冷却装置１１の構成について説明する。気化式空気冷却装置１１は、図３０に示すように、外気が矢印に示すように吸い込まれて吐出される保水材３０にて構成されている。なお、この保水材３０は、一般に通称クーリングパッド（ Cooling Pad )と呼ばれ、木材のチップを加工した紙質と、ポリエチレンと、ガラス繊維で構成され従来より市販されている。
また、このクーリングパッドは、主に畜舎並びに園芸用施設の温度を下げるために用いられるものであり、日本では、無窓畜舎、施設園芸用温室で広く使用されているものである。
【００１４】
図３３〜図３６は保水材３０の作り方を示しており、保水材３０の構造を理解し易いように、この保水材３０の構造について説明する。図３３において、波形形状をした波板材５１を多層に積層して形成するものであり、それぞれの波板材５１は、強固に加工された紙で出来ている。なお、波板材５１の波形形状で形成されて連続して形成される溝５２が、空気の流通路となる。
上下の波板材５１を吸気方向に対して互い違いに任意の角度、例えば、３０°前後に組み合わせ、上の波板材５１の波の下側の頂点と、下の波板材５１の波の上側の頂点とが交差する点、つまり、図３４に示す黒丸（●）の部分を接着剤にて接着し、上下の波板材５１を接着固定する。
【００１５】
このようにして波板材５１を多数積層したのが図３５に示す保水材本体５５であり、この保水材本体５５を図中矢印のイ方向にカッター等にて切断することで、任意の厚みの保水材片５６を得る。そして、図３６に示すように、縦方向、横方向の矢印ロ、ハに示すようにカッター等にて切断することで、任意の大きさの保水材３０を形成することができる。
【００１６】
なお、保水材３０は、任意の厚みや大きさを容易に製作することができ、また、波板材５１を上下に積層する際に、波板材５１を任意の角度で傾斜して積層することで、外気の吸気方向に対する波板材５１の各溝５２の傾斜角度も任意に形成することができる。また、図３３に示すように、溝５２の幅寸法Ｌや高さ寸法Ｈを任意に製作することができる。
【００１７】
図３７は上記のようにして製作された保水材３０の要部拡大断面図を示し、保水材３０の右方に凝縮器３が位置し、左方から矢印に示すように空気が保水材３０の溝５２（以後、この溝を「空気流通路」と称する。）を通過する。
この実線で示している空気流通路５２は例えば、３０°の傾きで上昇し、この実線で示されている空気流通路５２と幅方向で隣接し、破線で示している空気流通路５２は、例えば、３０°の傾きで下降している構成となっている。これらの空気流通路５２が保水材３０の上下方向及び左右方向に連続して形成されている。
【００１８】
この保水材３０に給水装置１６からの水が滴下され、保水材３０自体に水が吸水されて湿潤状態となり、同時に保水材３０の表面、つまり各空気流通路５２の表裏の面を水が流下していき、保水材３０に吸収されなかった水は保水材３０の表面を伝って水回収装置１３へと流れて回収される。
【００１９】
特に、保水材３０の材料として上述したように、木材のチップを加工した紙質と、ポリエチレンと、ガラス繊維で構成しているので、保水材３０自体に水が吸収されて湿潤状態となり、保水材３０から気化する際の潜熱にて保水材３０側に吸気された空気の温度を低下させることができる。これにより、凝縮器３を効率良く冷却することができる。
つまり、気化式空気冷却装置１１に水を循環させることにより、気化式空気冷却装置１１を通過する室外機１の吸い込み温度が気化潜熱で外気温度よりも下がり、且つ加湿効果により冷房能力の向上を図ることができる。
【００２０】
このように従来では、室外機１の凝縮器３の空気の吸い込み側に配設した気化式空気冷却装置１１に水を循環させることにより、補給水は蒸発した水の分だけとなり、水道代の上昇を抑えるようにしている。
また、凝縮器３を冷却させることで、空気調和機全体の消費電力を抑えることができるので、水を循環させるためのポンプ１４の電気代は、微々たるものであり、全体としての消費電力を抑えている。
【００２１】
このように、１台の室外機１に対しては、室外機１の吸い込み空気の上流側に１組の補助冷却装置１０を設置することで、上述の効果を得ていた。ここで、複数台、例えば４台の室外機１を横方向に配設している場合には、図３８に示すようにしていた。
【００２２】
図３８（ａ）は４台を横方向に列設した室外機１の平面図を示し、図３８（ｂ）は吸い込み空気の上流側から見た図であり、開口部分を介して凝縮器３が見えている。室外機１の横方向や縦方向の寸法は、該室外機１の能力に応じて決まっており、また、図３９に示すように、上記保水材３０の大きさも、室外機１の大きさに合わせて２つを組み合わせて用いている。
【００２３】
ここで、図３９に示すように、２枚の保水材３０ａ、３０ｂにて室外機１の大きさに合わせた保水材３０とし、この保水材３０やこの保水材３０を支持する四角状の枠４３とで冷却パネル４０が構成される。この冷却パネル４０の大きさは、１台の室外機１の大きさにほぼ対応しており、各室外機１に対向して冷却パネル４０がそれぞれ配設されている。
【００２４】
このように、室外機１の大きさに対応させた冷却パネル４０を、各室外機１に配設した状態を図３９に示す。図３９（ａ）は平面図を、（ｂ）は正面図をそれぞれ示している。各冷却パネル４０へは給水管１５から各分岐部３５を経て、各支管３３を介して給水され、また、冷却パネル４０から排水される水は各支管３４を介し、さらに排水管１２を経て水回収装置１３へと水が循環されるようになっている。
なお、図３９に示しているのは、上記特許文献１の従来例での冷却パネル４０を４台配設した場合の各冷却パネル４０の保水材３０への給水の配管を示しているものである。
【００２５】
また、図４０は、上記特許文献１の実施形態を示しているものである。すなわち、１台の室外機１に対して１つの冷却パネル４０を配設するのではなく、保水材３０自体を並設して配設するようにしている。
【００２６】
排水路を兼ねた長尺物の支持台６０に複数の保水材３０を隣接して配置しているものであり、この支持台６０は、室外機１の下端より若干下方に位置させて、床面より支柱等により設けている。また、支持台６０の長さは、複数台の室外機１の横方向の長さを足した長さより少し長く形成している。
保水材３０の上部に配置する給水装置１６は、下側の支持台６０とは異なり、各室外機１にそれぞれ対応させている。よって、図示例では、室外機１を４台並設しているので、給水装置１６は４台用いている。
【００２７】
給水装置１６は、図４１に示すような構成としており、図４１（ａ）は給水装置１６の断面図を示し、図４１（ｂ）は給水装置１６内に設けている給水板６２の平面図を示している。給水板６２には、多数の穴６３が長手方向に沿って穿孔されており、給水装置１６の上部より挿入されている支管３３より流入した水が給水板６２上に落ち、さらに各穴６３より水が保水材３０の上面に滴下する。そして、保水材３０内に水が上述したように浸透していき、保水材３０が湿潤状態となり、吸い込んだ空気を冷却させるようになっている。
【００２８】
図４０に示す例では、定格寸法の保水材３０を使用しており、１台の室外機１に対して２枚の保水材３０を用いている。したがって、４台の室外機１に対して８枚の保水材３０を隣接して並設した場合には、両側の保水材３０の端部は室外機１よりはみ出してしまうことになる。しかし、保水材３０の端部が室外機１よりはみ出すことは、室外機１の凝縮器３を全面的にカバーすることになり、冷却した空気を凝縮器３へ送り、効率良く凝縮器３を冷却することができるようにしている。
【００２９】
図４２に示すように、支持台６０は断面を略コ字型として、上面を開口し、底面は排水路となるために閉塞されている。支持台６０の両側には長尺物、あるいは短尺物の台座６４を該支持台６０の長手方向に沿って配置しており、この台座６４の上に保水材３０を配設するようにしている。
そして、両側の台座６４の中央部分を保水材３０から滴下した水を排水（循環）させるための排水路６５としている。
【００３０】
また、図４２に示すように、支持台６０に配置した保水材３０の上部に給水装置１６を配置し、上下の給水装置１６と支持台６０とで保水材３０を保持している。なお、図４０（ｂ）に示すように、１つの給水装置１６にて２枚の保水材３０を保持している。なお、図４０（ａ）では、給水装置１６を外した状態を示している。
【発明の概要】
【発明が解決しようとする課題】
【００３１】
図４３及び図４４は、給水装置１６から保水材３０へ給水している状態を示しており、図４３は正面から見た断面図を、図４４は側面から見た断面図をそれぞれ示している。支管３３を介して給水装置１６内に給水された水は、給水板６２の各穴６３から保水材３０の上面に落下する。
給水板６２は図４１（ｂ）に示すように、給水板６２の略中央の長手方向に沿って一直線状に穿孔されているために、給水板６２の穴６３の下方の保水材３０の上面に一直線状に落下する。
【００３２】
図４５は、保水材３０の上面を示し、理解し易いように、落下した水６７を黒色で描いている。図４５に示すように、保水材３０の上面へは、水６７が点状に落下し、それが所定の間隔毎に水６７が点状に落下した状態となり、その後、点状の水６７は保水材３０に浸透していく。
ポンプ１４の能力を上げると給水装置１６からの水６７を勢い良くすることができて、点状の部分の水６７の面積をある程度大きくできるものの、給水装置１６から落下した水６７は保水材３０の上面で跳ねてしまい、ほとんどの水６７は保水材３０の外側に落下してしまう。
【００３３】
かかる場合、大量の水を無駄にしてしまうことになり、水道代が高額になってしまうという問題が生じる。また、ポンプ１４も能力が大きいものが必要となり、電気代も高価になり、ランニングコストがアップすることになる。
無駄に水を使わずに、ポンプ１４の能力も必要最小限のものを使用することで、ランニングコストを下げることができる。そのためには、保水材３０が湿潤状態へとすべく、給水装置１６からの水６７は勢い良くする必要はなく、チョロチョロと落下させれば良い。
すなわち、給水装置７０から保水材３０への給水は少しの量にしないと、ポンプ１４の能力が大きくなり、消費電力が多くなって、ランニングコストがアップすることになる。
【００３４】
しかしながら、勢いを持たせずに水を落下させると、保水材３０の上面には図４５に示すように水６７は点状となり、なかなか保水材３０の上面で周囲に広がっていかない。室外機１の凝縮器３を効率良く冷却するためには、保水材３０の内部の全体に水を湿潤させる必要がある。
実際の実験結果では、所々で水が湿潤しない箇所が縦方向に幾つか見られた。かかる場合には、保水材３０にて効率良く空気を冷却することができなくなる。
【００３５】
そこで、本発明者は、図４６に示すように、給水装置１６の下方に厚みのある不織布６８を配設した。給水装置１６から点状に落下した水は、不織布６８に直ぐに全体的に浸透していき、不織布６８の下面から広い面積で水が保水材３０の上面に落下させることができた。そのため、室外機１の凝縮器３を効率良く冷却することができた。
【００３６】
しかしながら、保水材３０の表面は露出しているために、保水材３０の表面に付着しているホコリやゴミが補助冷却装置１０を循環することになる。そのため、不織布６８がフィルタ機能を発揮し、この不織布６８にてホコリやゴミを捕集してしまい、水の流れが悪くなり、不織布６８を早く交換しなければならないという問題が発生した。不織布６８を早く交換することはランニングコストがアップすることになり、不織布６８を用いることはできないということになった。また、水の流れが悪くなり、保水材３０への給水も悪くなった。
【００３７】
本発明は上述の問題点に鑑みて提供したものであって、保水材の上面に水を落下させる面積を広くして、保水材の全体にわたって水を湿潤させることで、凝縮器を効率良く冷却することを目的とした凝縮器の補助冷却システムにおける給水装置を提供するものである。
【課題を解決するための手段】
【００３８】
そこで、本発明の請求項１に記載の凝縮器の補助冷却システムにおける給水装置では、屋外に設置される室外機１の凝縮器３の風上側に近接して保水材３０を配設し、
前記保水材３０は、上方の給水装置７０より滴下される水により湿潤されて、気化する際の潜熱にて吸気された空気の温度を低下させるものであり、
この温度が低下した空気により前記凝縮器３を冷却させ、
前記保水材３０から流下した水を水回収装置１３にて回収し、
前記水回収装置１３の水をポンプ１４を駆動して給水管１５を介して前記保水材３０へ循環させるようにした凝縮器の補助冷却システムであって、
前記給水装置７０は、
前記給水管１５からの水６７が供給される給水パイプ７１と、前記給水パイプ７１から落下した水６７を受け、該水６７を点状から線状、さらには線状から面的に分水させて前記保水材３０の上面に落下させる分水部７３とで構成されおり、
前記分水部７３は、
上面を平面とし断面が四角形状の第１のガイド片８１ａを所定の間隔毎に多数列設した第１の分水体８１と、
上面を平面とし断面が四角形状の第２のガイド片８２ａを所定の間隔毎に多数列設した第２の分水体８２とで少なくとも構成されており、
前記第１の分水体８１の下層に前記第２の分水体８２が配設され、
前記第１の分水体８１の第１のガイド片８１ａと、前記第２の分水体８２の第２のガイド片８２ａとは交差させており、
前記第１の分水体８１の第１のガイド片８１ａの上面には、該第１のガイド片８１ａの上面を伝って一方側に水６７が流出するのを防止する第１の止水部８７を設けていることを特徴としている。
【００３９】
請求項２に記載の凝縮器の補助冷却システムにおける給水装置では、前記給水パイプ７１の上面に水６７を流出させる穴７８を所定の間隔毎に直線状に複数穿孔していることを特徴としている。
【００４０】
請求項３に記載の凝縮器の補助冷却システムにおける給水装置では、前記給水パイプ７１の上方には、前記穴７８から勢いよく噴出した水６７を下方へ反射させる反射板７２を配設していることを特徴としている。
【００４２】
請求項４に記載の凝縮器の補助冷却システムにおける給水装置では、前記第１の分水体８１の第１のガイド片８１ａと、前記第２の分水体８２の第２のガイド片８２ａとは直交あるいは斜めに交差させていることを特徴としている。
【００４４】
請求項５に記載の凝縮器の補助冷却システムにおける給水装置では、前記分水部７３の最下層のガイド片の下面には、該ガイド片の下面を伝って一方側に水６７が流出するのを防止する第２の止水部８８を設けていることを特徴としている。
【発明の効果】
【００４５】
本発明の請求項１に記載の凝縮器の補助冷却システムにおける給水装置によれば、給水装置７０は、
前記給水管１５からの水６７が供給される給水パイプ７１と、前記給水パイプ７１から落下した水６７を受け、該水６７を点状から線状、さらには線状から面的に分水させて前記保水材３０の上面に落下させる分水部７３とで構成されているので、保水材３０の上面に落下させる水６７は、従来の点状ではなく、比較的大きな面となって水６７を落下させることができる。これにより、保水材３０全体にわたって早期に湿潤状態とすることができ、従来のように、保水材３０の一部の箇所に水が流れずに、空気の冷却がされないということを防ぐことができる。したがって、本分水部７３を用いることで、室外機１の凝縮器３を効率良く冷却させることができる。
また、分水部７３にて、給水パイプ７１から落下した水６７は、点状から線状、線状から面的と広がっていくものであり、そのため、給水パイプ７１から保水材３０への給水を多くして面的に広げる必要がない。これにより、給水パイプ７１から保水材３０への給水は少しの量でよく、ポンプ１４の能力も小さなもので良く、それにより、ポンプ１４の消費電力も少なくなり、全体のランニングコストを低下させることができる。
また、分水部７３は、上面を平面とし断面が四角形状の第１のガイド片８１ａを所定の間隔毎に多数列設した第１の分水体８１と、上面を平面とし断面が四角形状の第２のガイド片８２ａを所定の間隔毎に多数列設した第２の分水体８２とで少なくとも構成されており、前記第１の分水体８１の下層に前記第２の分水体８２が配設され、前記第１の分水体８１の第１のガイド片８１ａと、前記第２の分水体８２の第２のガイド片８２ａとは交差させていることで、給水パイプ７１から落下した水６７を、順次、点から線状、線状から面へと保水材３０へ給水する水６７を広げることができる。
さらに、第１の分水体８１の第１のガイド片８１ａの上面には、該第１のガイド片８１ａの上面を伝って一方側に水６７が流出するのを防止する第１の止水部８７を設けていることで、第１の止水部８７により、分水部７３が傾斜して配置された場合でも、分水部７３の上面に落下した水６７を一方側に水６７が流れるのを防いで、広範囲にわたって水を落下させることができる。
【００４６】
請求項２に記載の凝縮器の補助冷却システムにおける給水装置によれば、給水パイプ７１の上面に水６７を流出させる穴７８を所定の間隔毎に直線状に複数穿孔していることで、穴７８から流出した水は給水パイプ７１の両側の表面を伝って分水部７３へと落下していく。特に穴７８から出た水は給水パイプ７１の表面を広がるように伝うので、分水部７３の上面には大きな面積の点状、あるいは線状に水を落下させることができる。
【００４７】
請求項３に記載の凝縮器の補助冷却システムにおける給水装置によれば、給水パイプ７１の上方には、前記穴７８から勢いよく噴出した水６７を下方へ反射させる反射板７２を配設しているので、給水パイプ７１の直下方以外の第１の分水体８１のガイド片８１ａの部分に落下し、そのため、その落下した箇所から、点から線状、線状から面へと保水材３０へ給水する水６７を広げることができる。
【００４９】
請求項４に記載の凝縮器の補助冷却システムにおける給水装置によれば、第１の分水体８１の第１のガイド片８１ａと、前記第２の分水体８２の第２のガイド片８２ａとは直交あるいは斜めに交差させているので、第１のガイド片８１ａと、第２のガイド片８１ａとを直交させている場合は、第１の分水体８１、第２の分水体８２の製作が容易にでき、また、第１のガイド片８１ａと、第２のガイド片８１ａとを斜めに交差させている場合は、第１、第２のガイド片８１ａ、８２ａを１種類で構成でき、在庫管理を容易にすることができる。
【００５１】
請求項５に記載の凝縮器の補助冷却システムにおける給水装置によれば、分水部７３の最下層のガイド片の下面には、該ガイド片の下面を伝って一方側に水６７が流出するのを防止する第２の止水部８８を設けていることで、第２の止水部８８により分水部７３が傾斜して配置された場合でも、分水部７３の内部で下方に伝っていく水６７を一方側に水６７が流れるのを防いで、広範囲にわたって水を落下させることができる。
【図面の簡単な説明】
【００５２】
【図１】本発明の実施の形態における給水装置の分解図である。
【図２】本発明の実施の形態における給水装置及び保水材を正面から見た図である。
【図３】本発明の実施の形態における給水装置を側面から見た断面図である。
【図４】（ａ）〜（ｃ）は本発明の実施の形態における給水パイプの正面図、側面図及び平面図である。
【図５】本発明の実施の形態における給水パイプの断面図である。
【図６】（ａ）〜（ｃ）は本発明の実施の形態における反射板の平面図、側面図及び正面図である。
【図７】（ａ）〜（ｃ）は本発明の実施の形態における分水部の平面図、側面図及び正面図である。
【図８】（ａ）〜（ｃ）は本発明の実施の形態における止水部を設けた実際の分水部の平面図、側面図及び正面図である。
【図９】本発明の実施の形態における分水部の背面図である。
【図１０】（ａ）〜（ｃ）は本発明の実施の形態における各ガイド片の厚みを薄くして構成した分水部の平面図、側面図及び正面図である。
【図１１】本発明の実施の形態における各ガイド片を斜めに交差させて構成した分水部の平面図である。
【図１２】本発明の実施の形態における給水パイプの穴から水が流出する場合の動作説明図である。
【図１３】本発明の実施の形態における給水パイプから分水部へと水が落下する場合の動作説明図である。
【図１４】本発明の実施の形態における給水パイプから分水部へと水が落下する場合の動作説明図である。
【図１５】本発明の実施の形態における分水部で水がガイド片を伝って落下していく場合の動作説明図である。
【図１６】（ａ）〜（ｃ）は本発明の実施の形態における分水部で水がガイド片を伝って落下していく場合の動作説明図である。
【図１７】本発明の実施の形態における分水部で水がガイド片を伝って落下していく場合の動作説明図である。
【図１８】（ａ）〜（ｃ）は本発明の実施の形態における分水部で水がガイド片を伝って落下していく場合の動作説明図である。
【図１９】本発明の実施の形態における分水部で水がガイド片を伝って落下していく場合の動作説明図である。
【図２０】（ａ）〜（ｃ）は本発明の実施の形態における分水部で水がガイド片を伝って落下していく場合の動作説明図である。
【図２１】本発明の実施の形態における分水部で水がガイド片を伝って落下していく場合の動作説明図である。
【図２２】（ａ）〜（ｃ）は本発明の実施の形態における分水部で水がガイド片を伝って落下していく場合の動作説明図である。
【図２３】本発明の実施の形態における分水部で水がガイド片を伝って落下していく場合の動作説明図である。
【図２４】（ａ）〜（ｃ）は本発明の実施の形態における分水部で水がガイド片を伝って落下していく場合の動作説明図である。
【図２５】本発明の実施の形態における分水部で水がガイド片を伝って落下していく場合の動作説明図である。
【図２６】（ａ）〜（ｃ）は本発明の実施の形態における分水部で水がガイド片を伝って落下していく場合の動作説明図である。
【図２７】本発明の実施の形態における分水部で水がガイド片を伝って落下していく場合の動作説明図である。
【図２８】（ａ）〜（ｃ）は本発明の実施の形態における分水部で水がガイド片を伝って落下していく場合の動作説明図である。
【図２９】本発明の実施の形態における保水材の上面に水が面的に落下している状態を示す動作説明図である。
【図３０】室外機の凝縮器の補助冷却装置を示す概略構成図である。
【図３１】補助冷却装置を正面から見た概略図である。
【図３２】冷凍サイクルを示す図である。
【図３３】保水材を製作する場合の説明図である。
【図３４】保水材を製作する場合の説明図である。
【図３５】保水材を製作する場合の説明図である。
【図３６】保水材を製作する場合の説明図である。
【図３７】保水材の要部拡大断面図である。
【図３８】（ａ）（ｂ）は複数台の室外機を設置した場合の平面図及び正面図である。
【図３９】（ａ）（ｂ）は従来例の冷却パネルを室外機に複数設置した場合の平面図及び正面図である。
【図４０】（ａ）（ｂ）は他の従来例の支持台に複数の保水材を隣接して配置した場合の平面図及び正面図である。
【図４１】（ａ）は他の従来例の給水装置７０の断面図であり、（ｂ）は給水板の平面図である。
【図４２】従来例の保水材を支持台に配置している状態の断面図である。
【図４３】従来例の保水材に給水する場合の正面から見た断面図である。
【図４４】従来例の保水材に給水する場合の側面から見た断面図である。
【図４５】従来例の保水材の上面に落下した水を示す説明図である。
【図４６】従来例の給水装置の下方に不織布を配設した場合の正面から見た断面図である。
【発明を実施するための形態】
【００５３】
以下、本発明の実施の形態を図面を参照して詳細に説明する。本発明は、保水材３０へ水を給水するための装置であり、その給水装置７０以外の構成は従来例と同じである。凝縮器の補助冷却システム自体は従来例と同様であり、従来例と同様の機能を発揮する部材には同一の番号を付して説明は省略する。
【００５４】
図１は、保水材３０の上面側に配設する給水装置７０の分解図を示しており、上述したように保水材３０、支管３３等は従来と同様である。室外機１が１台の場合では、支管３３は用いないので、給水管１５の先端部分が給水装置７０に直接に接続されることになる。
【００５５】
上記給水装置７０は、略Ｔ字状でパイプ状の給水パイプ７１と、この給水パイプ７１の両側の上方にそれぞれ配置される略円弧状の反射板７２と、給水パイプ７１の下方に配置されて、給水パイプ７１から落下した点状の水を、線状、さらには面的へと分水させる分水部７３とで構成されている。
【００５６】
図２は、給水装置７０を正面から見た図であり、図３は側面から見た断面図である。なお、図２及び図３において、給水パイプ７１、分水部７３及び保水材３０の間隔は理解し易いように少しあけているが、実際は、それぞれは近接している。
【００５７】
次に、給水装置７０の各構成部材について説明していく。図４は給水パイプ７１を、図５は給水パイプ７１の断面図をそれぞれ示している。図４（ａ）は、給水パイプ７１の正面図を、図４（ｂ）は給水パイプ７１の側面図を、図４（ｃ）は給水パイプ７１の平面図をそれぞれ示している。
給水パイプ７１は、例えば合成樹脂製の材料からなり、円筒状で両側にはキャップ７６が装着されていて、給水パイプ７１の両側はキャップ７６にて閉塞されている。
【００５８】
給水パイプ７１の上面の略中央部分には、上面を開口した筒部７７が一体的に突設されていて、この筒部７７に支管３３あるいは給水管１５が接続されるようになっている。
また、給水パイプ７１の上面には多数の穴７８が所定の間隔毎に略直線状に穿孔されている。給水パイプ７１内には支管３３を介して水が供給され、給水パイプ７１内に満杯となった水が上記穴７８から流出するようにしている。
【００５９】
図６は、給水パイプ７１の両側の上方に間隔を少し開けて配置される反射板７２を示し、図６（ａ）は反射板７２の平面図を、図６（ｂ）は反射板７２の側面図を、図６（ｃ）は反射板７２の正面図をそれぞれ示している。
反射板７２は、断面を略円弧状に形成されており、例えば、合成樹脂製の材料を用いている。この反射板７２は、図３に示すように、給水パイプ７１の穴７８から水が勢い良く噴出した場合、反射板７２の内面にて水を下方へ反射させるためのものである。
【００６０】
次に、分水部７３について説明する。図７（ａ）は分水部７３の平面図を、図７（ｂ）は分水部７３の側面図を、図７（ｃ）は分水部７３の正面図をそれぞれ示している。
分水部７３は、本実施形態では例えば、４層構造としており、上から順に第１の分水体８１、第２の分水体８２、第３の分水体８３及び第４の分水体８４で構成されている。
【００６１】
第１の分水体８１は、細長状で四角柱状の横方向に長いガイド片８１ａが前後方向に所定の間隔をあけて構成されている。この多数のガイド片８１ａにて第１の分水体８１を構成している。
また、第２の分水体８２は、第１の分水体８１のガイド片８１ａと直交する形で、ガイド片８２ａが横方向に所定の間隔をあけて構成されており、多数のガイド片８２ａにて第２の分水体８２を構成している。
【００６２】
第２の分水体８２のガイド片８２ａの長さは、第１の分水体８１のガイド片８１ａの長さより短くなっている。ガイド片８２ａの長さは、保水材３０の幅方向の寸法と略同じであり、ガイド片８１ａの長さは、保水材３０の横方向の寸法と略同じである。
【００６３】
第３の分水体８３も第１の分水体８１の構成と略同じであるが、第３の分水体８３のガイド片８３ａは、図７（ｂ）に示すように、第１の分水体８１のガイド片８１ａとは前後方向にずらせて配置している。
また、第４の分水体８４も第２の分水体８２の構成と略同じであるが、第４の分水体８４のガイド片８４ａは、図７（ｃ）に示すように、第２の分水体８２のガイド片８２ａとは横方向にずらせて配置している。
【００６４】
なお、第１の分水体８１のガイド片８１ａと、第３の分水体８３のガイド片８３ａとは、同じ形状であり、また、第２の分水体８２のガイド片８２ａと、第４の分水体８４のガイド片８４ａも同じ形状である。
【００６５】
ここで、図７（ａ）においては、第１の分水体８１のガイド片８１ａと第２の分水体８２のガイド片８２ａのみを描いている。これは、第３の分水体８３のガイド片８３ａ及び第４の分水体８４のガイド片８４ａも描くと線ばかりが表現されてしまい、理解しにくくなるからである。
また、図７（ｂ）（ｃ）では、ガイド片８１ａ〜８４ａにハッチングを入れているが、これは断面を表しているのではなく、ハッチングを入れることで、左右の空間やガイド片８１ａ〜８４ａ自体の位置が分かり易いようにしているものである。他の図におけるハッチングも同様である。
【００６６】
なお、上下の各ガイド片８１ａ〜８４ａが交差する箇所は、接着剤にて接着しており、この交差部分で後述するように落下した水が前後方向や横方向に流れていくのを防いでいる。
【００６７】
図７に示す分水部７３が基本的な構成であるが、実際の分水部７３の構成は図８に示すような構成となっている。すなわち、第１の分水体８１のガイド片８１ａの上面であって、第２の分水体８２の一つおきのガイド片８２ａと交差している箇所に、止水部８７をガイド片８１ａと一体的にそれぞれ突設している。
この止水部８７は、分水部７３が横方向に傾斜して配設された場合に、落下した水が各ガイド片８１ａの上面を伝って流出するのを防止するためである。また、図８に示す止水部８７の例では、略半球状としているが、直方体の形状でもよく、横方向に伝った水を止めるものであれば、どのような形状でも良い。
【００６８】
また、分水部７３の底面図を示す図９に示すように、分水部７３の下面、つまり第４の分水体８４のガイド片８４ａの下面であって、第４の分水体８４のガイド片８４ａと第３の分水体８３のガイド片８３ａとが交差する箇所に、図８に示すのと同様の止水部８８をそれぞれ一体的に突設させている。
この第４の分水体８４のガイド片８４ａの下面の止水部８８の機能も、上記止水部８７の場合と同様で、ガイド片８４ａの下面に伝う水が、分水部７３が傾斜していても、一方向に流れるのを防止するためである。
【００６９】
分水部７３の上面に形成した止水部８７や、下面に形成した止水部８８は、上述のように、分水部７３が前後方向や横方向に傾斜して配設された場合でも、水の落下が一方側に偏るのを防止するためであり、広い面積にて水を保水材３０の上面に落下させるためである。
また、室外機１が設置されている箇所において、分水部７３を含む給水装置７０を水平に設置することは非常に困難であり、給水装置７０が少々傾斜して配設された場合でも、一方向に水が流れるのを防いで広範囲にわたって水を落下させることができる。
【００７０】
上記の実施形態では、各ガイド片８１ａ〜８４ａの上面を平面とし、断面形状を略正四角形状としていたが、図１０に示すように、各ガイド片８１ａ〜８４ａの厚みを薄くして、断面形状を長方形状としても良い。
【００７１】
また、上記の実施形態では、各ガイド片８１ａ〜８４ａを横方向、縦方向に交差させて分水部７３を形成していたが、図１１に示すように、各ガイド片８１ａ〜８４ａを斜めに交差させて分水部７３を形成するようにしても良い。
かかる場合、各ガイド片８１ａ〜８４ａは同一形状のものを用いることができ、そのため、分水部７３を安価に製作することができる。なお、図１１に示す分水部７３では、止水部８７、８８は図示省略している。
【００７２】
各分水体８１〜８４のガイド片８１ａ〜８４ａを横方向と縦方向に組み合わせている場合では、各分水体８１〜８４を容易に製作でき、また、各分水体８１〜８４のガイド片８１ａ〜８４ａを斜めに交差させている場合では、ガイド片８１ａ〜８４ａを１種類で構成でき、在庫管理を容易にすることができる。
【００７３】
次に、給水装置７０の作用について説明する。図３０に示すように、ポンプ１４を駆動して水回収装置１３から給水管１５を介して給水装置７０へ水を給水させていくと、図１２に示すように、給水パイプ７１内には水が満杯となり、満杯となった水は給水パイプ７１の上面に穿孔した各穴７８から流れていく。
穴７８を給水パイプ７１の下面に穿孔した場合は、水が穴７８から直ぐに落下してしまうので、分水部７３の上面には点状に落下することになる。
【００７４】
しかし、給水パイプ７１内の水を流出させる穴７８を給水パイプ７１の上面に穿孔していることで、図１３及び図１４に示すように、穴７８から流出した水は給水パイプ７１の両側の表面を伝って分水部７３へと落下していく。特に穴７８から出た水は給水パイプ７１の表面を広がるように伝うので、分水部７３の上面には大きな面積の点状、あるいは線状に水を落下させることができる。
【００７５】
なお、穴７８から勢い良く噴出するように出た水が給水パイプ７１の上方に配置されている反射板７２の内面にて反射されて、給水パイプ７１の側面に落下する。
【００７６】
次に、図１５以降により給水パイプ７１から分水部７３に落下した水の流れについて説明する。図１５以降は分水部７３の一部を取り出した図であり、図以外の箇所でも同様に水が広がって保水材３０の上面に落下するものである。
【００７７】
先ず、図１５及び図１６に示すように、給水パイプ７１から落下した水６７は、分水部７３の第１の分水体８１のガイド片８１ａの上面に落下する。なお、分かり易いように、水６７は黒色で着色している。なお、図１６（ｂ）は、図１６（ａ）のＡ−Ａ断面図を示し、また、図１６（ｃ）は、図１６（ａ）のＢ−Ｂ断面図を示している。以降の図も同様である。
【００７８】
次に、図１７及び図１８に示すように、ガイド片８１ａの上面に落下した水６７は該ガイド片８１ａの長手方向に沿って伝っていく。また、一部の水６７はガイド片８１ａの側面から落下する。
次に、図１９及び図２０に示すように、ガイド片８１ａの上面の水６７は該ガイド片８１ａの両側の側面を伝って落下し、また、矢印に示すように、水６７の一部はガイド片８１ａの上面から側面を介して第３の分水体８３のガイド片８３ａの上面、あるいは直接保水材３０の上面に落下する。
【００７９】
さらに、図２１及び図２２に示すように、水６７はガイド片８１ａの側面を伝って第２の分水体８２のガイド片８２ａの上面を長手方向に沿っていく。なお、水６７が下層のガイド片の上面に伝って落下する以外の説明は省略する。
ガイド片８２ａの上面の水６７は、図２３及び図２４に示すように、該ガイド片８２ａの両側の側面を伝って第３の分水体８３のガイド片８３ａの上面に伝っていく。
【００８０】
次に、図２５及び図２６に示すように、ガイド片８３ａの上面の水６７は、該ガイド片８３ａの両側の側面を伝って下層の第４の分水体８４のガイド片８４ａの上面に伝っていく。
さらに、図２７及び図２８に示すように、ガイド片８４ａの上面の水６７は、該ガイド片８４ａの両側の側面を伝って保水材３０の上面に落下する。
【００８１】
このように、各分水体８１〜８４を経ることで、給水パイプ７１から落下した水６７は、点状、線状となり、さらに水６７が下層に経るほど、水６７は広い面積でもって、下方へと伝っていって保水材３０の上面に落下する。
【００８２】
図２９は、保水材３０の上面を示し、給水パイプ７１から分水部７３を介して落下した水６７は、保水材３０の上面全体にわたって落下することはないが、従来例と比べてかなり広い面積でもって水６７が給水されるようになった。
このように、分水部７３にて、給水パイプ７１から落下した水６７は、点状から線状、線状から面的と広がっていくものであり、そのため、給水パイプ７１から保水材３０への給水を多くして面的に広げる必要がない。これにより、給水パイプ７１から保水材３０への給水は少しの量でよく、ポンプ１４の能力も小さなもので良く、それにより、ポンプ１４の消費電力も少なくなり、全体のランニングコストを低下させることができる。
【００８３】
ここで、給水パイプ７１の上方には、前記穴７８から勢いよく噴出した水６７を下方へ反射させる反射板７２を配設しているので、給水パイプ７１の直下方以外の第１の分水体８１のガイド片８１ａの部分に落下し、そのため、その落下した箇所から、点から線状、線状から面へと保水材３０へ給水する水６７を広げることができる。
【００８４】
また、分水体８１のガイド片８１ａの上面には、該ガイド片８１ａの上面を伝って一方側に水６７が流出するのを防止する止水部８７を設けていることで、止水部８７により、分水部７３が傾斜して配置された場合でも、分水部７３の上面に落下した水６７を一方側に水６７が流れるのを防いで、広範囲にわたって水を落下させることができる。
【００８５】
さらには、分水部７３の最下層のガイド片の下面には、該ガイド片の下面を伝って一方側に水６７が流出するのを防止する止水部８８を設けていることで、止水部８８により分水部７３が傾斜して配置された場合でも、分水部７３の内部で下方に伝っていく水６７を一方側に水６７が流れるのを防いで、広範囲にわたって水を落下させることができる。
【００８６】
このように、上面を平面とし断面が四角形状の多数のガイド片８１ａ〜８４ａを交差させて４層構造としていることで、保水材３０の上面に落下させる水６７は、従来の点状ではなく、比較的大きな面となって水６７を落下させることができる。これにより、保水材３０全体にわたって早期に湿潤状態とすることができ、従来のように、保水材３０の一部の箇所に水が流れずに、空気の冷却がされないということを防ぐことができる。したがって、本分水部７３を用いることで、室外機１の凝縮器３を効率良く冷却させることができる。
【００８７】
上記実施形態では、分水部７３の層を４層としていたが、少なくとも２層としてもよく、また、５層以上としても良いが、保水材３０の上面に落下する水６７が比較的広い面積が得られれば、必要以上に多層にすることもない。
また、分水部７３の各ガイド片８１ａ〜８４ａの材料としては、木材、合成樹脂が好適例である。なお、上記各分水体８１〜８４のガイド片８１ａ〜８４ａは、柱状としていたが、筒状でも良い。かかる場合には、重量を軽量化することができる。
【符号の説明】
【００８８】
１  室外機
３  凝縮器
１３  水回収装置
１４  ポンプ
１５  給水管
３０  保水材
６７  水
７０  給水装置
７１  給水パイプ
７２  反射板
７３  分水部
７８  穴
８１  第１の分水体
８１ａ  第１のガイド片
８２  第２の分水体
８２ａ  第２のガイド片
８３  第３の分水体
８３ａ  第３のガイド片
８４  第４の分水体
８４ａ  第４のガイド片
８７  第１の止水部
８８  第２の止水部
【要約】      （修正有）【課題】保水材の上面に水を落下させる面積を広くして、保水材の全体にわたって水を湿潤させることで、凝縮器を効率良く冷却する給水装置を提供する。【解決手段】給水パイプからの水は、分水部７３の上面の略直線状に点状に所定の間隔毎に横方向に落下する。先ず、分水部７３の上面のガイド片８１ａの上面に落下した水は、ガイド片８１ａの長手方向に沿って伝い、さらにガイド片８１ａの側面を下方に伝っていく。次いで、下層のガイド片８２ａの上面に水が落下し、ガイド片８２ａの上面の水は側面を伝って、下層のガイド片８３ａの上面に落下する。ガイド片８３ａの上面の水は、側面を伝って更に下層のガイド片８４ａの上面に落下する。ガイド片８４ａの上面の水は側面を伝って保水材の上面に落下する。各ガイド片８１ａ〜８４ａにより、水は点状から線状に、線状から面的に広がっていって保水材の上面に面的に落下する。【選択図】図８【図１】
0005787453.tif 000002
【図２】
0005787453.tif 000003
【図３】
0005787453.tif 000004
【図４】
0005787453.tif 000005
【図５】
0005787453.tif 000006
【図６】
0005787453.tif 000007
【図７】
0005787453.tif 000008
【図８】
0005787453.tif 000009
【図９】
0005787453.tif 000010
【図１０】
0005787453.tif 000011
【図１１】
0005787453.tif 000012
【図１２】
0005787453.tif 000013
【図１３】
0005787453.tif 000014
【図１４】
0005787453.tif 000015
【図１５】
0005787453.tif 000016
【図１６】
0005787453.tif 000017
【図１７】
0005787453.tif 000018
【図１８】
0005787453.tif 000019
【図１９】
0005787453.tif 000020
【図２０】
0005787453.tif 000021
【図２１】
0005787453.tif 000022
【図２２】
0005787453.tif 000023
【図２３】
0005787453.tif 000024
【図２４】
0005787453.tif 000025
【図２５】
0005787453.tif 000026
【図２６】
0005787453.tif 000027
【図２７】
0005787453.tif 000028
【図２８】
0005787453.tif 000029
【図２９】
0005787453.tif 000030
【図３０】
0005787453.tif 000031
【図３１】
0005787453.tif 000032
【図３２】
0005787453.tif 000033
【図３３】
0005787453.tif 000034
【図３４】
0005787453.tif 000035
【図３５】
0005787453.tif 000036
【図３６】
0005787453.tif 000037
【図３７】
0005787453.tif 000038
【図３８】
0005787453.tif 000039
【図３９】
0005787453.tif 000040
【図４０】
0005787453.tif 000041
【図４１】
0005787453.tif 000042
【図４２】
0005787453.tif 000043
【図４３】
0005787453.tif 000044
【図４４】
0005787453.tif 000045
【図４５】
0005787453.tif 000046
【図４６】
0005787453.tif 000047